(57)【特許請求の範囲】
【請求項１】
負荷電路に流れる電流を開閉する開閉接点と、この開閉接点を開閉させる操作ハンドルと、上記負荷電路の電圧が所定の電圧以下のときに回路遮断器のトリップバーに係合しトリップ動作させて上記開閉接点をオフ状態にする機構部を有し上記操作ハンドルをリセット操作したときにこの操作ハンドルに係合して上記機構部がリセットされ、負荷電路の電圧が所定の電圧以下で且つ操作ハンドルをリセット操作後オン操作をしたときに開閉接点がオンする接点オンポイントよりもリセット位置側でトリップ動作する不足電圧引外し装置を備え、上記不足電圧引外し装置は、電磁石と、負荷電路の電圧が所定の電圧以上のときに上記電磁石に吸引されるプランジャーと、上記負荷電路の電圧が所定の電圧以下のときに上記プランジャーを上記吸引方向と反対方向に移動させるように付勢するプランジャーバネと、上記プランジャーの動作に連動するラッチレバーと、上記負荷電路の電圧が所定の電圧以上のときには上記ラッチレバーに保持され上記負荷電路の電圧が所定の電圧以下のときには上記ラッチレバーから解除されて回路遮断器のトリップバーに係合するアクチュエータと、このアクチュエータをトリップ動作させる方向に付勢するトリップスプリングと、操作ハンドルのリセット操作時にこの操作ハンドルに係合して動作するリセットプレートと、このリセットプレートに係合して上記プランジャーをリセット位置まで移動させると共に上記アクチュエータに係合してこのアクチュエータをリセット位置まで移動させるリセットレバーとを備えたことを特徴とする回路遮断器。
【請求項２】
アクチュエータに固着されたラッチピンが嵌挿され上記アクチュエータを摺動自在に保持する長孔を配設したフレームを備えたことを特徴とする請求項１記載の回路遮断器。
【請求項３】
ラッチピンに回動自在に支承されたラッチローラーを備え、ラッチレバーを上記ラッチローラーの外周部に係合させアクチュエータを保持したことを特徴とする請求項２記載の回路遮断器。
【請求項４】
リセットレバーはラッチピンに回動自在に支承されていることを特徴とする請求項２記載の回路遮断器。
【請求項５】
ラッチレバーを回動自在に支承するラッチレバー軸に嵌挿されて上記ラッチレバーに回動力を付勢するラッチスプリングを備えたことを特徴とする請求項１記載の回路遮断器。
【請求項６】
アクチュエータをトリップ動作方向に付勢するトリップスプリングを、一対でかつ並設させたことを特徴とする請求項１記載の回路遮断器。
【請求項７】
リセットプレートを操作ハンドルのリセット操作方向と反対方向に付勢するリセットスプリングを配設したことを特徴とする請求項１記載の回路遮断器。
【請求項８】
リセットスプリングを、一対でかつ並設させたことを特徴とする請求項７記載の回路遮断器。
【請求項９】
操作ハンドルに係合するリセットプレートのハンドル係合部を上記操作ハンドルの操作方向に向って左右対称に配設したことを特徴とする請求項１記載の回路遮断器。
【請求項１０】
トリップバーを押圧するアクチュエータの先端部にテーパー部を配設したことを特徴とする請求項１記載の回路遮断器。
【請求項１１】
電磁石は、プランジャーに対向して配設されて上記プランジャーを吸引するアンビルを備え、コイルバネで形成させたプランジャーバネの内周を上記プランジャーとアンビルの外周に嵌挿させたことを特徴とする請求項１記載の回路遮断器。
【請求項１２】
プランジャーバネの付勢力を調整するアジャスターを配設したことを特徴とする請求項１または請求項１１記載の回路遮断器。
【請求項１３】
ラッチレバーおよびリセットレバーの少なくともいずれか一方に潤滑性材料をコーティングしたことを特徴とする請求項１記載の回路遮断器。
【発明の詳細な説明】
【０００１】
【発明の属する技術分野】
この発明は、負荷電路に流れる電流を開閉する回路遮断器に関し、特に、回路遮断器に装着され、負荷電路に印加された電圧が所定の電圧以下になったときに回路遮断器をオフ状態にする不足電圧引外し装置に関わる。
【０００２】
【従来の技術】
図１７は、例えば特開平１０−２５５６３９号公報に示された従来の回路遮断器の不足電圧引外し装置の部分側断面図、図１８は、図１７の不足電圧引外し装置を回路遮断器に組込んだ状態を示す部分側断面図で回路遮断器がオン状態で電磁石のコイルに所定の電圧以上の電圧が印加された状態を示す、図１９は、図１８の電磁石のコイルに印加される電圧が所定の電圧より低下した状態を示す部分側断面図、図２０は、図１９の回路遮断器がオフ状態を示す部分側断面図である。
【０００３】
図において、１００は回路遮断器（図１８〜２０）、２０は不足電圧引外し装置、２１はコイル２１ａ、アンビル２１ｂ、ヨーク２１ｃ、プランジャーガイド２１ｄ、ボビン２１ｅにより構成された電磁石、２２は電磁石２１の中心部に収納されアンビル２１ｂに対向して左右方向に移動可能に形成されたプランジャー、２３はプランジャー２２を電磁石２１の吸引から解放する方向（図１７の左方向）に付勢するプランジャーバネ、２４はプランジャー２２に固着されプランジャーバネ２３の付勢力によってプランジャー２２と一体的に移動するバネ押さえ、２５はプランジャー２２に固着され、その先端部で回路遮断器１００のトリップバー４０（図１８に示す）を押圧するアクチュエータである。
【０００４】
２６はヨーク２１ｃと一体的に構成されたフレーム、２７はバネ押さえ２４に係合してプランジャー２２をリセット位置に移動させる腕部２７ａと、回路遮断器１００の後述の開閉接点４１（図１８に示す）と連動するクロスバー４２の段部４２ａと係合する脚部２７ｂとを備え、レバーピン２８によりフレーム２６に支承されたリセットレバーである。
【０００５】
２９はプランジャーバネ２３よりも付勢力が大きく、プランジャー２２をリセット位置（アンビル２１ｂに吸着する位置）にリセットレバー２７を付勢するレバーバネ、４１は可動接点４３と固定接点４４により形成され、クロスバー４２の回動により負荷電路（図示しない）に流れる電流を開閉する開閉接点である。
【０００６】
次に、以上のように形成された回路遮断器１００の不足電圧引外し装置２０の動作について説明する。
図１８に示す、回路遮断器１００がオン状態においては、可動接点４３は固定接点４４に接触しており負荷電路は回路遮断器１００により閉路され、電磁石２１のコイル２１ａには、回路遮断器１００が接続される負荷電路の電圧（以下、この電圧を検知電圧という）が印加され、ヨーク２１ｃとプランジャーガイド２１ｄで形成された磁路によりプランジャー２２は矢印Ｒ方向に電磁力の作用で吸引される。
【０００７】
検知電圧が所定の電圧を越えているときは、プランジャー２２がアンビル２１ｂに吸着する吸引力はプランジャーバネ２３の付勢力より大きく、プランジャー２２はアンビル２１ｂに吸着される。この結果、プランジャー２２に固着されたアクチュエータ２５はトリップバー４０に接触しないため、回路遮断器１００はトリップ動作しないでオン状態（図１８）を維持する。
【０００８】
また、回路遮断器１００がオン状態（図１８）においては、クロスバー４２の段部４２ａがリセットレバー２７の脚部２７ｂと係合しているため、リセットレバー２７はレバーバネ２９の付勢力による矢印Ｓ方向の回動力に抗して図１８の位置に保持される。
なお、このとき、リセットレバー２７の腕部２７ａとバネ押さえ２４との間隔は、プランジャー２２がアンビル２１ｂから解放されアクチュエータ２５が反矢印Ｒ方向へ移動したときに、アクチュエータ２５の先端がトリップバー４０を回動させ、回路遮断器１００の開閉機構部（図示しない）が動作して回路遮断器１００をトリップ動作させることができる寸法に保持される。
【０００９】
次に、図１９及び図２０用いて、回路遮断器がオン状態で不足電圧引外し装置２０の電磁石のコイルに印加されている検知電圧が所定の電圧より低下した場合におけるトリップ動作について説明する。
【００１０】
検知電圧が所定の電圧以下に低下すると、電磁石２１の電磁力が減少しプランジャー２２がアンビル２１ｂに吸着される吸引力が弱まり、この吸引力がプランジャーバネ２３の付勢力より小さくなるので、プランジャー２２はアンビル２１ｂから開離し、アクチュエータ２５はプランジャーバネ２３の付勢力により矢印Ｕ方向に移動して、トリップバー４０を一点鎖線で示す位置から実線で示す位置へ回動（矢印Ｔ方向）させ、回路遮断器１００の開閉機構部（図示しない）をトリップ動作させる。
【００１１】
回路遮断器１００の開閉機構部がトリップ動作を行うと、クロスバー４２はオン位置から矢印Ｖ１方向に回動し、これに連動して可動接点４３は固定接点４４から開離して負荷電路に流れる電流は遮断される。クロスバー４２が矢印Ｖ１方向に回動すると、リセットレバー２７の脚部２７ｂとクロスバー４２の段部４２ａとの係合が解除されて、リセットレバー２７はレバーピン２８に支承されて矢印Ｗ１方向に回動し、係合腕２７ａがバネ押さえ２４を押しながら、プランジャー２２がアンビル２１ｂに接触する位置まで、プランジャー２２およびアクチュエータ２５を矢印Ｘ方向（図２０）に移動させる。
【００１２】
なお、図２０に示す回路遮断器１００をオン状態にする場合、あらかじめ操作ハンドルをリセット操作（図示しない）を行った後に、オフ状態からオン状態への操作を行うと、電磁石２１のコイル２１ａに印加される検知電圧が所定の電圧を越えている場合であれば、プランジャー２２はアンビル２１ｂに吸着された状態を維持しており、アクチュエータ２５がトリップバー４０に作用することはなく、図１８に示すオン状態に操作することができる。
【００１３】
【発明が解決しようとする課題】
従来の回路遮断器の不足電圧引外し装置は以上のように構成されているので、検知電圧が所定の電圧以下のときに操作ハンドルをリセット操作（図示しない）を行った後に、オフ状態からオン状態へすると、クロスバー４２が矢印Ｖ２方向（図２０に示す）に回動し、リセットレバー２７がレバーピン２８に支承されて矢印Ｗ２方向に回動する。
【００１４】
この時、検知電圧が所定の電圧以下であるため、電磁石２１の電磁力が減少してプランジャー２２がアンビル２１ｂに吸着される吸引力が小さくなっており、プランジャーバネ２３の付勢力により、プランジャー２２はアンビル２１ｂから開離し、アクチュエータ２５はトリップバー４０を矢印Ｔ方向に回動させ、回路遮断器１００の開閉機構部（図示しない）がトリップ動作して回路遮断器１００はオフ状態（図２０に示す）に戻される。
【００１５】
上記の動作中、リセットレバー２７のリセットは、クロスバー４２の段部４２ａとリセットレバー２７の腕部２７ａの係合部形状に左右される構造になっているので、リセットレバー２７の腕部２７ａとバネ押さえ２４との間隔がアクチュエータ２５の先端がトリップバー４０を回動させることができる間隔（図１９）まで確実に戻されない場合、リセットレバー２７が戻されるタイミングが遅い場合、また、図示しない開閉機構部の動作がリセットレバー２７のリセットよりも早い場合においては、瞬時的に可動接点４３と固定接点４４が接触した後に不足電圧引外し装置２０が動作する現象が生じ、可動接点４３が固定接点４４に接触することにより可動接点４３と固定接点４４間にアークが発生し、可動接点４１及び固定接点４３がアークにより摩耗するという問題があった。
【００１６】
この発明は、かかる問題点を解決するためになされたものであり、検知電圧が所定の電圧以下の状態において、回路遮断器の操作ハンドルによりリセット操作を行った後に、オン操作した場合に、不足電圧引外し装置が確実にリセットされ、不足電圧引外し装置を、開閉接点がオンする前に作動させるようにすることにより、開閉接点が接触してアークによって摩耗することがない回路遮断器を得ることを目的としている。
【００１７】
【課題を解決するための手段】
（１）この発明に係る回路遮断器は、負荷電路に流れる電流を開閉する開閉接点と、この開閉接点を開閉させる操作ハンドルと、上記負荷電路の電圧が所定の電圧以下のときに回路遮断器のトリップバーに係合しトリップ動作させて上記開閉接点をオフ状態にする機構部を有し上記操作ハンドルをリセット操作したときにこの操作ハンドルに係合して上記機構部がリセットされ、負荷電路の電圧が所定の電圧以下で且つ操作ハンドルをリセット操作後オン操作をしたときに開閉接点がオンするオンポイントよりもリセット位置側でトリップ動作する不足電圧引外し装置を備え、上記不足電圧引外し装置は、電磁石と、負荷電路の電圧が所定の電圧以上のときに上記電磁石に吸引されるプランジャーと、上記負荷電路の電圧が所定の電圧以下のときに上記プランジャーを上記吸引方向と反対方向に移動させるように付勢するプランジャーバネと、上記プランジャーの動作に連動するラッチレバーと、上記負荷電路の電圧が所定の電圧以上のときには上記ラッチレバーに保持され上記負荷電路の電圧が所定の電圧以下のときには上記ラッチレバーから解除されて回路遮断器のトリップバーに係合するアクチュエータと、このアクチュエータをトリップ動作させる方向に付勢するトリップスプリングと、操作ハンドルのリセット操作時にこの操作ハンドルに係合して動作するリセットプレートと、このリセットプレートに係合して上記プランジャーをリセット位置まで移動させると共に上記アクチュエータに係合してこのアクチュエータをリセット位置まで移動させるリセットレバーとを備えたものである。
【００１８】
（２）また、アクチュエータに固着されたラッチピンが嵌挿され上記アクチュエータを摺動自在に保持する長孔を配設したフレームを備えたものである。
【００１９】
（３）また、ラッチピンに回動自在に支承されたラッチローラーを備え、ラッチレバーを上記ラッチローラーの外周部に係合させてアクチュエータを保持したものである。
【００２０】
（４）また、リセットレバーはラッチピンに回動自在に支承されているものである。
【００２１】
（５）また、ラッチレバーを回動自在に支承するラッチレバー軸に嵌挿されて上記ラッチレバーに回動力を付勢するラッチスプリングを備えたものである。
【００２２】
（６）また、アクチュエータをトリップ動作方向に付勢するトリップスプリングを、一対でかつ並設させたものである。
【００２３】
（７）また、リセットプレートを操作ハンドルのリセット操作方向と反対方向に付勢するリセットスプリングを配設したものである。
【００２４】
（８）また、リセットスプリングを並設させたものである。
【００２５】
（９）また、操作ハンドルに係合するリセットプレートのハンドル係合部を上記操作ハンドルの操作方向に向って左右対称に配設したものである。
【００２６】
（１０）また、トリップバーを押圧するアクチュエータの先端部にテーパー部を配設したものである。
【００２７】
（１１）また、電磁石は、プランジャーに対向して配設されて上記プランジャーを吸引するアンビルを備え、コイルバネで形成させたプランジャーバネの内周を上記プランジャーとアンビルの外周に嵌挿させたものである。
【００２８】
（１２）また、プランジャーバネの付勢力を調整するアジャスターを配設したものである。
【００２９】
（１３）また、ラッチレバーおよびリセットレバーの少なくともいずれか一方に潤滑性材料をコーティングしたものである。
【００３０】
【発明の実施の形態】
実施の形態１．
図１は実施の形態１における回路遮断器の不足電圧引外し装置を示す外観図で、（ａ）は上面図、（ｂ）は正面図、図２は図１のカバーを除去した状態を示す上面図、図３は、図１のＡ−Ａ線断面図、図４は不足電圧引外し装置を構成する機構部の分解斜視図である。
【００３１】
つぎに、図１〜図４を用いて、実施の形態１における回路遮断器の不足電圧引外し装置の構成について説明する。
図において、１は不足電圧引外し装置で、回路遮断器が接続される負荷電路（図示しない）の電圧（以下、この電圧を検知電圧という）が所定の電圧以下のときに回路遮断器のトリップバー４０（図６に示す）に係合しトリップ動作させて開閉接点をオフ状態にする機構部２００、この機構部２００を収納するベース２、及びカバー３により形成されている。
【００３２】
機構部２００は、後述する部品類を装着する基台であるフレーム２１０（詳細は後述）、検知電圧が印加されて駆動する電磁石２２０、フレーム２１０に固着されたラッチレバー軸２３０、ラッチレバー軸２３０に支承されて回動するラッチレバー２４０（詳細は後述）、ラッチレバー２４０と共にラッチレバー軸２３０に嵌挿されラッチレバー２４０が回動するように付勢する例えば、ひねりバネで形成されたラッチスプリング２５０、トリップ動作時に右方向（図１〜４）に摺動して後述のトリップバー４０（図６に示す）に係合して回路遮断器をトリップ動作させ、リセット時はラッチレバー２４０により保持されるアクチュエータ２６０（詳細は後述）、アクチュエータ２６０に固着されると共に両端がフレーム２１０の角孔２１１（詳細は後述）に嵌挿されて左右方向（図１〜４）に摺動するラッチピン２７０、ラッチピン２７０に回動可能に支承されたラッチローラー２８０、一方端がフレーム２１０のバネ掛けＡ部２１２（図４に示す）に係止され他方端がアクチュエータ２６０のバネ掛けＢ部２６２に係止されてアクチュエータ２６０を右方向（図１〜４）へ付勢するトリップスプリング２９０、ラッチローラー２８０に隣接してラッチピン２７０に回動可能に支承されたリセットレバー３００（詳細は後述）、アクチュエータ２６０の上面に位置し後述の操作ハンドル４５（図５に示す）に係合して左右方向（図１〜４）に摺動するリセットプレート３１０（詳細は後述）、一方端がフレーム２１０のバネ掛けＡ部２１２に係止され他方端がリセットプレート３１０のバネ掛けＣ部３１２に係止されてリセットプレート３１０を右方向（図１〜４）へ付勢するリセットスプリング３２０とにより形成されている。
【００３３】
フレーム２１０は断面略Ｕ字形状で、後述のリセットプレート３１０のハンドル係合部３１３が摺動する時の逃がし孔として断面略Ｕ字形状を正面にみて左右対称的に設けられた角孔２１１、トリップスプリング２９０とリセットスプリング３２０の一方端を掛け止めするバネ掛けＡ部２１２、ラッチピン２７０が嵌挿されて摺動する長孔２１３、及び後述のプランジャー２２５（図３に示す）の外周部を摺動保持するプランジャーガイド２１４が配設されている。
【００３４】
電磁石部２２０は、検知電圧が印加されるコイル２２１、コイル２２１が巻回されるボビン２２２、コイル２２１で発生した磁束を導くアンビル２２３とヨーク２２４、アンビル２２３に対向すると共にプランジャーガイド２１４に嵌挿されてコイル２２１に通電したときにアンビル２２３に吸引されて移動するプランジャー２２５、外周部に雄ネジ部２２６ａを有しアンビル２２３の中心部の雌ネジ部２２３ａにねじ込まれたアジャスター２２６、内径部がアジャスター２２６に保持されると共にプランジャー２２５をアンビル２２３の吸引から解放する方向（図３の上方向）に付勢し負荷電路の電圧が所定の電圧かどうかを判定するプランジャーバネ２２７とにより構成されている。
なお、上記の構成において、コイル２２１、ボビン２２２、アンビル２２３及びヨーク２２４により、電磁石２２０ａを構成している。
【００３５】
ラッチレバー２４０はラッチレバー軸２３０が嵌挿される軸嵌挿孔２４１、プランジャー２２５の上面部２２５ａが接触する受圧部２４２、後述のラッチローラー２８０の外周部２８１が係合するローラー係合部２４３を備えている。
なお、ラッチレバー２４０の外周面又は受圧部２４２には、プランジャー２２５の上面部２２５ａに接触するときの摺動性、及び摺動による耐摩耗性を向上させるために、例えば二硫化モリブデンなどの潤滑性材料をコーティングしている。
【００３６】
アクチュエータ２６０は、例えば合成樹脂成形品で形成され、トリップ動作時に後述のトリップバー４０（図６に示す）を押圧する先端部２６１、先端部２６１の下部に配設したテーパー部２６１ａ、トリップスプリング２９０を係止するバネ掛けＢ部２６２、及びラッチピン２７０を保持するラッチピン保持部２６３が配設されている。
ラッチローラー２８０は円筒状で、ラッチピン２７０に回動可能に支承され、外周面２８１はラッチレバー２４０のローラー係合部２４３と係合し易いように滑らかな面を形成させている。
【００３７】
リセットレバー３００にはプランジャー２２５が摺動した時に当接する当接Ａ部３０１、及び後述の操作ハンドル４５操作時にリセットプレート３１０の押圧部３１１（後述）に当接する当接Ｂ部３０２が配設されており、リセットレバー３００の外周面又は当接Ａ部３０１には、プランジャー２２５の上面部２２５ａが接触するときの摺動性、及び摺動による耐摩耗性を向上させるために、例えば二硫化モリブデンなどの潤滑性材料をコーティングしている。
【００３８】
リセットプレート３１０には略中央部に押圧部３１１、リセットスプリング３２０を係止するバネ掛けＣ部３１２、リセット時に後述の操作ハンドル４５の係合凸部４５ａ（図５に示す）に係合するハンドル係合部３１３が配設されている。
このハンドル係合部３１３は操作ハンドル４５の操作方向に向って左右対称に設けられているので、操作ハンドル４５の両側のどちら側にでも装着でき、タイプの異なる回路遮断器への適応できる。
【００３９】
なお、上記実施例ではラッチレバー２４０及びリセットレバー３００に潤滑性材料をコーディングさせたが、ラッチピン２７０が摺動する長孔２１３を配設するフレーム２１０、ラッチピン２７０に支承されて回動するラッチローラー２８０にも潤滑性材料を部品の係合部分または全体にコーディングさせても良い。
【００４０】
また、トリップスプリング２９０及びリセットスプリング３２０は、夫々、アクチュエータ２６０及びリセットプレート３１０の摺動方向に並設されており、並設することにより、アクチュエータ２６０及びリセットプレート３１０が摺動する時の傾きが抑制され、摺動動作が滑らかである。
【００４１】
次に、以上のように形成された不足電圧引外し装置１を回路遮断器に組込んだ場合の実施例について説明する。
図５は、図１の不足電圧引外し装置１を回路遮断器に組込んだ状態を示す要部部分上面図で、回路遮断器がオン状態で電磁石のコイルに所定の電圧以上の検知電圧が印加された状態を示す、図６は、図５のＢ−Ｂ線断面図である。
【００４２】
図において、４００は回路遮断器、４０１は不足電圧引外し装置１を収納する回路遮断器４００に配設された引外し装置収納部、４０は図示しない開閉機構部をトリップさせるトリップバー、４０ａはトリップバー４０の回動を支承するトリップバー軸、４１は開閉接点で可動接点４３と固定接点４４により形成され、可動接点４３と固定接点４４は接離可能に対向して設置されている。
【００４３】
４２は回動により可動接点４３を固定接点４４に接離させるクロスバー４２、４５は手動操作により図示しない開閉機構部を介してクロスバー４２を回動させて可動接点４３を固定接点４４と接離させる操作ハンドル、４５ａは操作ハンドル４５に配設され、リセット操作時にリセットプレート３１０のハンドル係合部３１３に係合する係合凸部である。
【００４４】
次に、以上の様に構成された回路遮断器の不足電圧引外し装置の動作について、図２〜図６を用いて、回路遮断器がオン状態で電磁石部２２０のコイル２２１に所定の電圧以上の検知電圧が印加された状態を説明する。
【００４５】
（１）回路遮断器４００がオン状態、つまり、回路遮断器４００の可動接点４３が固定接点４４に接触している場合に、電磁石部２２０のコイル２２１に所定の電圧を超える検知電圧が印加されると、ヨーク２２４、アンビル２２３、プランジャー２２５及びプランジャーガイド２１４で形成された磁路によってプランジャー２２５は矢印Ｆ方向（図６中央部）に吸引される。
【００４６】
なお、検知電圧が所定の電圧以上であればプランジャー２２５がアンビル２２３に吸着される吸引力がプランジャーバネ２２７が反矢印Ｆ方向に付勢する力より大きくなるように、アジャスター２２６を矢印Ｇ方向（図４下部に示す）に回動させることにより調整可能としている。
【００４７】
（２）ラッチレバー２４０は、ラッチレバー軸２３０に嵌挿されたラッチスプリング２５０の付勢力によって矢印Ｈ方向に付勢される。
（３）ローラー係合部２４３（図４参照）がアクチュエータ２６０に保持されたラッチピン２７０に支承されたラッチローラー２８０の外周部２８１に係合し、アクチュエータ２６０はトリップスプリング２９０の付勢力に抗して矢印Ｉ方向に引っ張られた状態で係止される。従ってこの状態では、アクチュエータ２６０はトリップバー４０に接触しない位置にあり、回路遮断器４００はトリップ動作を行わないでオン状態を維持する。
【００４８】
次に、回路遮断器４００がオン状態で電磁石部２２０のコイル２２１に印加される検知電圧が所定の電圧以下に低下した状態の動作を説明する。
図７は、図６の回路遮断器４００の電磁石部２２０のコイル２２１に印加されている検知電圧が所定の電圧より低下した状態を示す要部部分上面図、図８は図７のＣ−Ｃ線断面図、図９は、図７の回路遮断器４００がトリップ動作した後のオフ状態を示す要部部分上面図、図１０は、図９のＤ−Ｄ線断面図である。
【００４９】
（４）検知電圧が所定の電圧以下に低下すると、電磁石部２２０の電磁力が減少し、プランジャー２２５がアンビル２２３に吸引される吸引力が弱まり、この吸引力がプランジャーバネ２２７の付勢力より小さくなるので、プランジャー２２５はアンビル２２３から開離する。
【００５０】
（５）この結果、プランジャー２２５の上面部２２５ａ（図４参照）がラッチレバー２４０の受圧部２４２（図４参照）を押し、ラッチレバー２４０はラッチレバー軸２３０に支承されて矢印Ｊ方向（図８）に回動し、ラッチローラー２８０との係合が解除され、アクチュエータ２６０はトリップスプリング２９０の引っ張り力により矢印Ｋ方向（図７，８）に摺動する。なお、このとき、ラッチローラー２８０の外周部２８１に係合していたラッチレバー２４０のローラー係合部２４３はラッチローラー２８０が回動するので、係合が滑らかに解除される。また、ラッチピン２７０はフレーム２１０の長孔２１３（図４参照）に嵌挿された状態で摺動するので摺動動作が滑らかである。
【００５１】
（６）アクチュエータ２６０の先端部２６１がトリップバー４０を押圧する。
（７）トリップバー４０がトリップバー軸４０ａに支承されて矢印Ｌ方向に回動し、開閉機構部（図示しない）がトリップ動作して、クロスバー４２が図８に示すオン状態から図１０に示す矢印Ｍ１方向に回動し、可動接点４３が固定接点４４から開離して開閉接点４１がオフ状態となる。
【００５２】
次に、以上のようにトリップ動作した開閉接点４１がオフ状態になった回路遮断器４００をオン状態にする前の準備操作であるリセット操作について説明する。
なお、回路遮断器４００のリセット操作とは、上述したような不足電圧引外し装置１に印加される検知電圧が所定の電圧より低下し、不足電圧引外し装置１がトリップ動作した場合のリセット操作の他に、回路遮断器４００に過負荷電流が流れ、過電流検出装置（図示しない）がトリップ動作した場合のリセット操作があるが、ここでは不足電圧引外し装置１のリセット操作についてのみ説明する。
【００５３】
図１１は、図９の回路遮断器がリセット操作された状態を示す要部部分上面図、図１２は、図１１のＥ−Ｅ線断面図である。
（８）回路遮断器４００をトリップ状態（図９，１０）からリセット操作するには、最初に、操作ハンドル４５をトリップ位置から矢印Ｎ方向（図９，１０に示す）に操作する。
【００５４】
（９）操作ハンドル４５を移動させることにより、操作ハンドル４５の係止凸部４５ａがリセットプレート３１０の係合Ｂ部３１３に当接し、リセットプレート３１０も同方向に移動する。
（１０）更に操作ハンドル４４を矢印Ｎ方向に移動させると、リセットプレート３１０の押圧部３１１がリセットレバー３００の当接Ｂ部３０２に接触する。
【００５５】
（１１）更に操作ハンドル４４を矢印Ｎ方向に移動させ、リセットプレート３１０の押圧部３１１がリセットレバー３００の当接Ｂ部３０２を押圧すると、リセットレバー３００はラッチピン２７０に支承されて回動する。
（１２）更に操作ハンドル４４を矢印Ｎ方向に移動させると、リセットレバー３００はアクチュエータ２６０に保持されたラッチピン２７０に支承されているので、アクチュエータ２６０も矢印Ｎ方向へ移動する。
【００５６】
なお、このとき、アクチュエータ２６０はトリップスプリング２９０により矢印Ｋ方向（図７，８）に付勢されており、アクチュエータ２６０はこの付勢力に抗して移動されるが、ラッチピン２７０はフレーム２１０の両側に配設された長孔２１３に嵌挿された状態で摺動するので動作が滑らかである。
【００５７】
（１３）リセットレバー３００がラッチピン２７０に支承されて矢印Ｏ方向（図１２中央部）に回動することにより、リセットレバー３００の下方部にある当接Ａ部３０１（図４参照）がプランジャー２２５の上面部２２５ａ（図４参照）を押し、プランジャーバネ２２７の付勢力に抗してプランジャー２２５をアンビル２２３に密着させる。
【００５８】
なお、この時、リセットレバー３００はラッチピン２７０に支承されて回動するのでプランジャー２２５の上面部２２５ａを当接Ａ部３０１は滑らかに摺動しながらプランジャー２２５をアンビル２２３に密着するまで押圧する。
【００５９】
（１４）（１３）とほぼ同時に、アクチュエータ２６０は、トリップスプリング２９０の矢印Ｋ方向への引き戻し力によってし、ラッチレバー２４０のローラー係合部２４３（図４参照）がラッチスプリング２５０に付勢されながらアクチュエータ２６０に固着されたラッチピン２７０に支承されたラッチローラー２８０の外周部２８１（図４参照）を摺動すると共にラッチローラー２８０自身が回動することによって滑らか且つ確実に係合し、アクチュエータ２６０はトリップスプリング２９０の引き戻し力に抗して引っ張られた状態で係止され、操作ハンドル４５のリセット位置で不足電圧引外し装置１のリセットが完了する。（図１１、図１２）
【００６０】
以上のように、不足電圧引外し装置１の機構部２００が操作ハンドル４５のリセット操作に連動してリセットされるので、操作ハンドル４５の位置をリセット位置に移動することで確実に不足電圧引外し装置１はリセットされる。
（１５）その後、矢印Ｎ方向の操作を止めると操作ハンドル４５は、図示しない引き戻しバネの作用によってオフ位置（図１２示す）に戻される。
【００６１】
次に、回路遮断器４００をオン状態へ操作する場合について説明する。
（１６）操作ハンドル４５をオフ位置（図１２）からオン位置（図６）方向（矢印Ｐ）に移動させる。
（１７）操作ハンドル４５の係合凸部４５ａに押圧されていたリセットプレート３１０もリセットスプリング３２０の引き戻し力によって操作ハンドル４５に追従して矢印Ｐ方向に移動し、リセットプレート３１０の押圧部３１１はリセットレバー３００の当接Ｂ部３０２を押圧しない状態になる。
【００６２】
なお、リセットスプリング３２０をリセットプレート３１０とフレーム２１０間に配設することにより、リセットプレート３１０が操作ハンドル４５に追従して摺動するので、不足電圧引外し装置１は操作ハンドル４５の位置に対応して、操作される。
【００６３】
（１８）ここで、電磁石部２２０のコイル２２１に印加される検知電圧が所定の電圧を越えている場合には、プランジャー２２５はアンビル２２３に吸着された状態を維持しており、ラッチレバー２４０のローラー係合部２４３はアクチュエータ２６０に保持されたラッチローラー２８０の外周部２８１に係合した状態であり、アクチュエータ２６０がトリップバー４０を押圧することはない。
【００６４】
（１９）操作ハンドル４４を更に矢印Ｐ方向に移動すると、クロスバー４２が矢印Ｍ２方向（図１０に示す）に回動し、接点オンポイント（図１２に示す）で可動接点４３と固定接点４４が接触した後、回路遮断器４００がオン状態になる。（図６）
【００６５】
（２０）しかし、電磁石部２２０のコイル２２１に印加される検知電圧が所定の電圧より低下している場合には、プランジャー２２５がアンビル２２３へ吸着される吸着力よりもプランジャーバネ２２７の付勢力の方が大きくなり、プランジャー２２５の上面部２２５ａがラッチレバー２４０の受圧部２４２を押し、ラッチレバー２４０はラッチレバー軸２３０に支承されて矢印Ｊ方向（図８に示す）に回動し、ラッチローラー２８０との係合が解除する。
【００６６】
（２１）アクチュエータ２６０はトリップスプリング２９０の引っ張り力により矢印Ｋ方向（図８に示す）に摺動し、先端部２６１がトリップバー４０を押圧することにより、回路遮断器４００は開閉機構部（図示しない）が動作し、可動接点４３が固定接点４４から開離して開閉接点４１がオフ状態となる。
【００６７】
以上に記述した、操作ハンドル４５をリセット位置からオン位置への操作において、プランジャー２２５の上面部２２５ａがリセットレバー３００の当接Ａ部３０１（図４参照）により押圧される操作ハンドル４５の位置は、図１２に示すリセット位置からトリップ位置（一点鎖線）の間であり、可動接点４３が固定接点４４に接触する接点オンポイント（ニ点鎖線）よりも早い位置（オフ位置側）であるため、不足電圧引外し装置１に印加される検知電圧が所定の電圧以下の場合に、回路遮断器４００の操作ハンドル４５をリセット操作後、オン位置へ操作させた時には、可動接点４３と固定接点４４がオンする接点オンポイントよりも前に不足電圧引外し装置１が動作するので、可動接点４３と固定接点４４が接触することはなく、可動接点４３及び固定接点４４がアークにより摩耗するという問題は生じないものである。
【００６８】
なお、プランジャー２２５を付勢するプランジャーバネ２２７の付勢力はアンビル２２３の中心部にねじ込まれたアジャスター２２６を回転させることにより調整可能であり、この調整を行うことによって、コイル２２１に印加された検知電圧によるプランジャー２２５の吸着力とラッチレバー２４０をラッチローラー２８０との係合から解除させる引外し力とのバランス関係を調整することができるので、不足電圧引外し装置１の不足電圧の設定値（所定の電圧）を正確に設定することができる。
【００６９】
また、不足電圧引外し装置１を回路遮断器４００に装着する場合は、オフ状態（図９，１０に示す）において、回路遮断器４００の上面（図の上側）から挿入すると、アクチュエータ２６０の先端部２６１の下部に配設されたテーパー部２６１ａとトリップバー４０が接触した後、テーパー部２６１ａに沿ってトリップバー４０が矢印Ｑ方向（図１０に示す）に回動して逃げることにより、不足電圧引外し装置１は回路遮断器４００の所定の位置に容易に装着することができる。
【００７０】
実施の形態２．
図１３はこの発明の実施の形態２における回路遮断器の不足電圧引外し装置の要部断面図、図１４は図１３の電磁石部の分解斜視図である。
【００７１】
つぎに、図１３〜図１４を用いて、実施の形態２における回路遮断器の不足電圧引外し装置の構成について説明する。
図において、１０００は不足電圧引外し装置、２は後述のアジャスター１２２６を操作するために設けられた調整窓２ａを有するベース、３はカバー、１２２０は電磁石部であり、電磁石部１２２０以外の不足電圧引外し装置１０００を構成する部品は上述した実施の形態１に示したものと同様である。
【００７２】
電磁石部１２２０は、検知電圧が印加されるコイル１２２１、コイル１２２１が巻回されるボビン１２２２、後述のヨーク１２２４に固着されると共に外周面に雄ネジ１２２３ａが設けられコイル１２２１で発生した磁束を導くアンビル１２２３、アンビル１２２３と共働してコイル１２２１で発生した磁束を導くヨーク１２２４、アンビル１２２３に対向しプランジャーガイド２１４に嵌挿されてコイル１２２１に通電したときにアンビル１２２３に吸引されて移動すると共に後述のプランジャーバネ１２２７の一方端が当接する凸部１２２５ａを有するプランジャー１２２５、中心部にアンビル１２２３の雄ネジ部１２２３ａに螺合する雌ネジ部１２２６ａと凹凸部１２２６ｂと後述のプランジャーバネ１２２７の他方端が当接する当接部１２２６ｃとを有したアジャスター１２２６、一方端がプランジャー１２２５の凸部１２２５ａに当接し他方端がアジャスター１２２６の当接部１２２６ｃに当接してプランジャー１２２５をアンビル１２２３の吸引から解放する方向（図１３の上方向）に付勢し負荷電路の電圧が所定の電圧かどうかを判定する例えば、コイルバネにより形成されたプランジャーバネ１２２７とにより構成されている。
なお、上記の構成において、コイル１２２１、ボビン１２２２、アンビル１２２３及びヨーク１２２４により、電磁石１２２０ａを構成している。
【００７３】
以上の様に構成された実施の形態２における回路遮断器の不足電圧引外し装置の基本的な動作については上述した実施の形態１と同様であり、構成の異なる電磁石部１２２０の調整方法について以下に記述する。
【００７４】
プランジャー１２２５を付勢するプランジャーバネ１２２７の付勢力はアンビル１２２３の雄ネジ部１２２３ａに螺合した雌ネジ部１２２６ａを有するアジャスター１２２６をＺ１方向（図１４に示す）に回動させてアジャスター１２２６を上下させることにより調整可能であり、この調整を行うことによって、コイル１２２１に印加された検知電圧によるプランジャー１２２５の吸着力とラッチレバー２４０（図３に示す）をラッチローラー２８０（図３に示す）との係合から解除させる引外し力とのバランス関係を調整することができ、不足電圧引外し装置１０００の不足電圧の設定値（所定の電圧）を正確に設定することができる。
【００７５】
実施の形態３．
図１５はこの発明の実施の形態３における回路遮断器の不足電圧引外し装置の要部断面図、図１６は図１５の電磁石部の分解斜視図である。
【００７６】
つぎに、図１５〜図１６を用いて、実施の形態３における回路遮断器の不足電圧引外し装置の構成について説明する。
図において、２０００は不足電圧引外し装置、２はベース、３はカバー、２２２０は電磁石部であり、電磁石部２２２０以外の不足電圧引外し装置２０００を構成する部品は上述した実施の形態１に示したものと同様である。
【００７７】
電磁石部２２２０は、検知電圧が印加されるコイル２２２１、コイル２２２１が巻回されるボビン２２２２、雄ネジ２２２３ａと止溝２２２３ｂと調整用溝２２２３ｃが配設され後述のヨーク２２２４に回動自在に保持されてコイル２２２１で発生した磁束を導くアンビル２２２３、アンビル２２２３と共働してコイル２２２１で発生した磁束を導くヨーク２２２４、アンビル２２２３に対向しプランジャーガイド２１４に嵌挿されてコイル２２２１に通電したときにアンビル２２２３に吸引されて移動すると共に後述のプランジャーバネ２２２７の一方端が当接する凸部２２２５ａを有するプランジャー２２２５、中心部にアンビル２２２３の雄ネジ部２２２３ａに螺合する雌ネジ部２２２６ａとキー溝２２２６ｂと後述のプランジャーバネ２２２７の他方端が当接する当接部２２２６ｃとを有したアジャスター２２２６、一方端がプランジャー２２２５の凸部２２２５ａに当接し他方端がアジャスター２２２６の当接部２２２６ｃに当接してプランジャー２２２５をアンビル２２２３の吸引から解放する方向（図１５の上方向）に付勢し負荷電路の電圧が所定の電圧かどうかを判定する例えば、コイルバネにより形成されたプランジャーバネ２２２７、ヨーク２２２４に固着されアジャスター２２２６のキー溝２２２６ｂに係合してアジャスター２２２６を上下方向に摺動可能にするキー部２２２８ａを有するサブプレート２２２８、アンビル２２２３の止溝２２２３ｂに嵌挿されてアンビル２２２３をヨーク２２２４に保持させるＵ字溝２２２９ａを有する板バネ２２２９、とにより構成されている。
なお、上記の構成において、コイル２２２１、ボビン２２２２、アンビル２２２３及びヨーク２２２４により、電磁石２２２０ａを構成している。
【００７８】
以上の様に構成された実施の形態３における回路遮断器の不足電圧引外し装置の基本的な動作については上述した実施の形態１と同様であり、構成の異なる電磁石部２２２０の調整方法について以下に述べる。
【００７９】
プランジャー２２２５を付勢するプランジャーバネ２２２７の付勢力はアンビル２２２３の調整用溝２２２３ｃをＺ２方向（図１５に示す）に回動させると雄ネジ部２２２３ａに螺合した雌ネジ部２２２６ａを有するアジャスター２２２６のキー溝２２２６ｂがサブプレート２２２８のキー部２２２８ａを摺動して上下方向に移動することにより調整可能であり、この調整を行うことによって、コイル２２２１に印加された検知電圧によるプランジャー２２２５の吸着力とラッチレバー２４０（図３に示す）をラッチローラー２８０（図３に示す）との係合から解除させる引外し力とのバランス関係を調整することができるので、不足電圧引外し装置２０００の不足電圧の設定値（所定の電圧）を正確に設定することができる。
【００８０】
【発明の効果】
この発明は、以上説明したように構成されているので、以下に記載されるような効果を奏する。
【００８１】
操作ハンドルをリセット操作したときに、この操作ハンドルに係合して不足電圧引外し装置の機構部がリセットされるようにしたので、操作ハンドルの位置をリセット位置に移動することで確実に不足電圧引外し装置がリセットされ、不足電圧引外し装置は、検知電圧が所定の電圧以下で且つ操作ハンドルをリセット操作後オン操作をしたときに開閉接点がオンする接点オンポイントよりもリセット位置側でトリップ動作するようにしたので、検知電圧が所定の電圧以下のときに、操作ハンドルをリセット操作させた後にオン操作を行った場合に、開閉接点が接触する前に不足電圧引外し装置が動作するので、可動接点と固定接点が接触して可動接点と固定接点がアークにより摩耗するという問題が生じることはなく、検知電圧が所定の電圧以下のときにラッチレバーを押圧してアクチュエータを解除する付勢力を発生するプランジャーバネと、アクチュエータをトリップ動作させる方向に付勢する付勢力を発生するトリップスプリングを別々のバネで形成させたので、プランジャーバネの付勢力はトリップバーを押圧するトリップスプリングの付勢力に比し、非常に小さく設定することが可能であり、プランジャーを吸引する吸引力を小さくできるので、電磁石を構成するコイル、ヨークなどを小形にできる。
【００８２】
また、アクチュエータに固着されたラッチピンがフレームに配設された長孔で摺動自在に保持されているのでアクチュエータの摺動が滑らかである。
【００８３】
また、ラッチレバーをラッチローラーの外周部に係合させてアクチュエータを保持したので、ラッチローラーが回動しながらラッチレバーに係合及び解除するので、係合及び解除が滑らかである。
【００８４】
また、リセットレバーがラッチピンに回動自在に支承されているので、プランジャーの上面部を当接Ａ部は滑らかに摺動しながらプランジャーをアンビルに密着するまで押圧する。
【００８５】
また、ラッチレバーがラッチスプリングで付勢されて回動するので、ラッチレバーのローラー係合部がラッチローラーの外周部に滑らか且つ確実に係合する。
【００８６】
また、アクチュエータをトリップ動作方向に付勢するトリップスプリングを、一対でかつ並設させたので、アクチュエータが摺動する時の傾きが抑制されてアクチュエータが滑らかに摺動する。
【００８７】
また、リセットプレートを、操作ハンドルのリセット操作方向と反対方向に付勢するリセットスプリングを配設したので、操作ハンドルの操作に対応してリセットプレートが追従して動作するので、不足電圧引外し装置は操作ハンドルの位置に対応して、操作される。
【００８８】
また、リセットスプリングを、一対でかつ並設させたので、リセットプレートが摺動する時の傾きが抑制されてリセットプレートが滑らかに摺動する。
【００８９】
また、操作ハンドルに係合するリセットプレートのハンドル係合部を操作ハンドルの操作方向に向って左右対称に配設したので、操作ハンドルの両側のどちらにでも装着でき、タイプの異なる回路遮断器への適応が容易である。
【００９０】
また、トリップバーを押圧するアクチュエータの先端部にテーパー部を配設したので、回路遮断器に不足電圧引外し装置を装着する場合、回路遮断器がオフ状態の時に回路遮断器上面から挿入すると、アクチュエータの先端部に配設されたテーパー部とトリップバーが接触した後、テーパー部に沿ってトリップバーが回動して逃げることにより、不足電圧引外し装置は回路遮断器の所定の位置に容易に装着することができる。
【００９１】
また、電磁石は、プランジャーに対向して配設されて上記プランジャーを吸引するアンビルを備え、コイルバネで形成させたプランジャーバネの内周を上記プランジャーとアンビルの外周に嵌挿させてプランジャーが移動するようにしたので、プランジャーがアンビルに傾くことなく安定して吸引されると共に、コイルバネの巻き径が大きくなるのでバネに加わる応力が小さくなりプランジャーバネの信頼性を向上させることができる。
【００９２】
また、プランジャーバネの付勢力を調整するアジャスターを配設したので、アジャスターの位置を調整することによって、コイルに印加された検知電圧によるプランジャーの吸着力とラッチレバーをラッチローラーとの係合から解除させる引外し力とのバランス関係を調整することができるので、不足電圧引外し装置の不足電圧の設定値（所定の電圧）を正確に設定することができる。
【００９３】
また、ラッチレバーおよびリセットレバーの少なくともいずれか一方に潤滑性材料をコーティングしたので、プランジャーの上面部が接触するときの摺動性、及び摺動による耐摩耗性を向上させることができる。
【図面の簡単な説明】
【図１】  この発明の実施の形態１における回路遮断器の不足電圧引外し装置を示す外観図で（ａ）は上面図、（ｂ）は正面図である。
【図２】  図１のカバーを除去した状態を示す上面図である。
【図３】  図１のＡ−Ａ線断面図である。
【図４】  不足電圧引外し装置を構成する機構部の分解斜視図である。
【図５】  不足電圧引外し装置を回路遮断器に組込んだ状態を示す要部部分上面図で回路遮断器がオン状態で電磁石のコイルに所定の電圧を越える電圧が印加された状態を示すである。
【図６】  図５のＢ−Ｂ線断面図である。
【図７】  回路遮断器の電磁石のコイルに印加されている検知電圧が所定の電圧より低下した状態を示す要部部分上面図である。
【図８】  図７のＣ−Ｃ線断面図である。
【図９】  図７の回路遮断器がトリップ動作した後のオフ状態を示す要部部分上面図である。
【図１０】  図９のＤ−Ｄ線断面図である。
【図１１】  図９の回路遮断器がリセット操作された状態を示す要部部分上面図である。
【図１２】  図１１のＥ−Ｅ線断面図である。
【図１３】  この発明の実施の形態２における回路遮断器の不足電圧引外し装置の要部断面図である。
【図１４】  図１３の電磁石部の分解斜視図である。
【図１５】  この発明の実施の形態３における回路遮断器の不足電圧引外し装置の要部断面図である。
【図１６】  図１４の電磁石部の分解斜視図である。
【図１７】  従来の回路遮断器の不足電圧引外し装置の部分側断面図である。
【図１８】  図１７の不足電圧引外し装置を回路遮断器に組込んだ状態を示す部分側断面図で回路遮断器がオン状態で電磁石のコイルに所定の電圧を越える検知電圧が印加された状態を示す。
【図１９】  図１８の電磁石のコイルに印加される検知電圧が所定の電圧より低下した状態を示す部分側断面図である。
【図２０】  図１９の回路遮断器がオフ状態を示す部分側断面図である。
【符号の説明】
１，１０００，２０００  不足電圧引外し装置、４０  トリップバー、
４１  開閉接点、４５  操作ハンドル、２００  機構部、２１０  フレーム、
２１３  長孔、２２０，１２２０，２２２０  電磁石部、
２２０ａ，１２２０ａ，２２２０ａ  電磁石、
２２３，１２２３，２２２３  アンビル、
２２５，１２２５，２２２５  プランジャー、
２２６，１２２６，２２２６  アジャスター、
２２７，１２２７，２２２７，  プランジャーバネ、２４０  ラッチレバー、
２６０  アクチュエータ、２６１ａ  テーパー部、２７０  ラッチピン、
２８０  ラッチローラー、２８１  外周部、２９０  トリップスプリング、
３００  リセットレバー、３１０  リセットプレート、３１３  ハンドル係合部、
３２０  リセットスプリング、４００  回路遮断器。
【図１】
0004110769.tif 000002
【図２】
0004110769.tif 000003
【図３】
0004110769.tif 000004
【図４】
0004110769.tif 000005
【図５】
0004110769.tif 000006
【図６】
0004110769.tif 000007
【図７】
0004110769.tif 000008
【図８】
0004110769.tif 000009
【図９】
0004110769.tif 000010
【図１０】
0004110769.tif 000011
【図１１】
0004110769.tif 000012
【図１２】
0004110769.tif 000013
【図１３】
0004110769.tif 000014
【図１４】
0004110769.tif 000015
【図１５】
0004110769.tif 000016
【図１６】
0004110769.tif 000017
【図１７】
0004110769.tif 000018
【図１８】
0004110769.tif 000019
【図１９】
0004110769.tif 000020
【図２０】
0004110769.tif 000021